(57)【要約】【課題】  竪框の持出部の切断小口及び竪框の見付面の持出部切除跡が露出することなく、意匠性が良好なサッシを提供する。【解決手段】  竪框と、横框と、キャップとを備え、竪框と横框は、内周側面にパネル保持溝を有していて、横框の端部を竪框のパネル保持溝に飲み込ませて框組みしてあり、竪框と横框の見込方向一方側に持出部を形成してあり、持出部は、持出部見込面と持出部見付面からなり、両面がそれぞれパネル保持溝の底面の一部と一方側側面を構成しており、竪框は、長手方向端部に位置する持出部を切除してあって、持出部見込面の長手方向端部に切欠を形成してあり、キャップは、竪框の持出部の切断小口と、竪框の見付面の持出部切除跡を覆うものであって、ガイド部と、ガイド部よりも横框側に位置する抜止部を有しており、ガイド部は、竪框の切欠に嵌合するものであり、抜止部は、横框の持出部見込面の背面に位置するものである。【選択図】      図１
2014214525.tif 000002
【特許請求の範囲】
【請求項１】
竪框と、横框と、キャップとを備え、竪框と横框は、内周側面にパネル保持溝を有していて、横框の端部を竪框のパネル保持溝に飲み込ませて框組みしてあり、竪框と横框の見込方向一方側に持出部を形成してあり、持出部は、竪框及び横框の一方側見付面から一方側に向けて延びる持出部見込面と、持出部見込面の一方側端から内周側に向けて延びる持出部見付面からなり、持出部見込面と持出部見付面が、それぞれパネル保持溝の底面の一部と一方側側面を構成しており、竪框は、長手方向端部に位置する持出部を切除してあって、持出部見込面の長手方向端部に切欠を形成してあり、キャップは、竪框の持出部の切断小口と、竪框の見付面の持出部切除跡を覆うものであって、ガイド部と、ガイド部よりも横框側に位置する抜止部を有しており、ガイド部は、竪框の切欠に嵌合するものであり、抜止部は、横框の持出部見込面の背面に位置するものであることを特徴とするサッシ。
【発明の詳細な説明】
【技術分野】
【０００１】
本発明は、金属製の框を四周框組みして形成した障子を有するサッシに関する。
【背景技術】
【０００２】
金属製の竪框１０１と横框１０２とを四周框組みして、内周側に形成したパネル保持溝１１１，１２１にパネルを嵌め込む障子を有するサッシにおいて、パネルが複層ガラスなどの厚いものである場合に、図６に示すように、框の見込面に持出部１０４，１０５を形成して、パネル保持溝１１１，１２１の見込幅を広くしたものがある。このようなサッシにおいては、横框１０２の端部を竪框１０１のパネル保持溝１１１に飲み込ませてあり、竪框１０１の持出部１０４は、横框１０２の持出部１０５の高さに合わせて長手方向端部を切除してある。そして、横框１０２の持出部見込面１５１を延出させて突条１５１ａを形成し、この突条１５１ａにより竪框１０１の持出部見付面１４２の切断小口Ａ２を覆い隠していた。
【発明の概要】
【発明が解決しようとする課題】
【０００３】
しかしながら、従来のサッシでは、竪框１０１の持出部見込面１４１の切断小口Ａ１及び竪框１０１の見付面の持出部切除跡Ｂ１が露出していた。切断小口Ａ１及び持出部切除跡Ｂ１は光沢を有し、その周囲とは見た目が異なって目立ってしまい、意匠上好ましくなかった。また、横框１０２の持出部見込面１５１を延出させて突条１５１ａを形成したことにより、持出部見付面１５２に段差が生じてしまい、この点も意匠上好ましくなかった。
【０００４】
本発明は、上記事情を鑑みたものであり、竪框の持出部の切断小口及び竪框の見付面の持出部切除跡が露出することなく、意匠性が良好なサッシを提供することを目的とする。
【課題を解決するための手段】
【０００５】
本発明は、竪框と、横框と、キャップとを備え、竪框と横框は、内周側面にパネル保持溝を有していて、横框の端部を竪框のパネル保持溝に飲み込ませて框組みしてあり、竪框と横框の見込方向一方側に持出部を形成してあり、持出部は、竪框及び横框の一方側見付面から一方側に向けて延びる持出部見込面と、持出部見込面の一方側端から内周側に向けて延びる持出部見付面からなり、持出部見込面と持出部見付面が、それぞれパネル保持溝の底面の一部と一方側側面を構成しており、竪框は、長手方向端部に位置する持出部を切除してあって、持出部見込面の長手方向端部に切欠を形成してあり、キャップは、竪框の持出部の切断小口と、竪框の見付面の持出部切除跡を覆うものであって、ガイド部と、ガイド部よりも横框側に位置する抜止部を有しており、ガイド部は、竪框の切欠に嵌合するものであり、抜止部は、横框の持出部見込面の背面に位置するものであることを特徴とする。なお、持出部見込面の背面とは、表面に露出しない側の面のことを示す。
【発明の効果】
【０００６】
本発明によれば、キャップにより、竪框の持出部の切断小口及び竪框の見付面の持出部切除跡を覆い隠してあるので、意匠性が良好である。また、これにより横框の持出部見込面を延出させる必要がなく、持出部見付面が面一になるのですっきりとした見た目になり、この点でも意匠性が良好である。さらに、キャップの取り付けにネジなどの固着手段を用いる必要がないので、施工が容易である。
【図面の簡単な説明】
【０００７】
【図１】本発明のサッシのキャップ取付部分の斜視図であり（竪框側から見た図）、（ａ）は組立状態、（ｂ）は分解状態である。
【図２】本発明のサッシのキャップ取付部分の斜視図であり（横框側から見た図）、（ａ）は組立状態、（ｂ）は分解状態である。
【図３】（ａ）〜（ｅ）はキャップの五面図である。
【図４】キャップの納まり図であり、（ａ）は平面図、（ｂ）は側面図である。
【図５】キャップの抜止部の拡大平面図である（図３のＸ−Ｘ線断面図）。
【図６】従来のサッシにおける、竪框と横框の接合部分の斜視図であり、（ａ）は組立状態、（ｂ）は分解状態である。
【発明を実施するための形態】
【０００８】
以下、本発明の実施の形態を図面に基づいて説明する。このサッシは、アルミニウム製の竪框と横框とを四周框組みして、内周側に形成したパネル保持溝にパネルを嵌め込む障子を有するものである。窓種は問わないが、ここでは引違窓を想定する。そして、パネルは見込幅の厚い複層ガラスとなっている。そこで、竪框及び横框の見込方向一方側（引違窓の場合、外障子においては室外側、内障子においては室内側）に持出部を形成して、パネル保持溝の見込幅を広くしてある。そして本発明は、このように形成した竪框と横框（本実施形態では上側の横框）との接合部分に関するものであり、以下において詳しく説明する。なお、当該部分については、横框の両端において対称の構造となっており、また外障子と内障子のどちらにおいても同じ構造となっている。
【０００９】
まず、図１及び図２において、見込方向を前後方向とし（見込方向一方側が前側）、横框２の長手方向を左右方向とする（竪框１側が右側）。竪框１と横框２は、何れも内周側面にパネル保持溝１１，２１を有している。ただし、竪框１と横框２のそれぞれの前側（見込方向一方側）には、持出部４，５を形成してある。持出部４，５は、竪框１及び横框２の前側見付面から前側に向けて延びる持出部見込面４１，５１と、持出部見込面４１，５１の前側端から内周側に向けて延びる持出部見付面４２，５２からなる。持出部見込面４１，５１と持出部見付面４２，５２が、それぞれパネル保持溝１１，２１の底面の一部と前側側面を構成することで、パネル保持溝１１，２１の見込幅が広くなっている。そして、横框２の端部を、竪框１のパネル保持溝１１に飲み込ませ、竪框１側からネジ止めして框組みしてある。ここで、竪框１の上端部に位置する持出部４を、横框２の持出部５の高さに合わせて切除してある。より詳しくは、竪框１の持出部４の切断小口Ａが、横框２の持出部見込面５１と面一になっており、竪框１の見付面には、持出部切除跡Ｂが残る。切断小口Ａ及び持出部切除跡Ｂは、光沢を有し周囲とは異なる見た目となる。
【００１０】
そして、竪框１の持出部４の切断小口Ａと、竪框１の見付面の持出部切除跡Ｂを覆い隠すためのキャップ３を取り付けてある。キャップ３の取り付けのために、竪框１の持出部見込面４１の上端（切断小口Ａ）の後側端部には、矩形の切欠６を形成してある。そしてキャップ３は、樹脂製であって、図３に示すように、矩形平板状で水平向きの見込面部３３と、同じく矩形平板状で見込面部３３の後側端から上向きに延びる見付面部３４とを有し、見込面部３３の下面の右側端（竪框１側端）には、略直方体形のガイド部３１を形成してあり、さらにガイド部３１の左側（横框２側）に、略直方体形の抜止部３２を形成してある。抜止部３２は、ガイド部３１に対して前後及び下側に突出しており、抜止部３２の上面と見込面部３３との間には隙間が形成されていて、その間隔は横框２の持出部見込面５１の厚さよりわずかに広い。そして、図１、図２及び図４に示すように、このように形成したキャップ３を横框２に取り付けた上で、横框２を竪框１に接合する。より詳しくは、キャップ３の見込面部３３と抜止部３２の間の隙間に、横框２の持出部見込面５１を挿入する。すると、キャップ３の見込面部３３は横框２の持出部見込面５１に当接し、見付面部３４は横框２の見付面に当接する。ただし、見込面部３３は横框２の持出部見込面５１から右側及び前側へ突出しており、見付面部３４は横框２の見付面から右側へ突出している。そして、ガイド部３１も横框２の端面から右側へ突出した状態であり、横框２の端部を竪框１のパネル保持溝１１に飲み込ませる際に、ガイド部３１を竪框１の切欠６に嵌合させる。すると、キャップ３の見込面部３３が竪框１の持出部４の切断小口Ａを覆い、見付面部３４が竪框１の見付面の持出部切除跡Ｂを覆う。また、ガイド部３１が切欠６に嵌合しているから、キャップ３が前後方向に動くことはなく、さらに抜止部３２が横框２の持出部見込面５１の下面（背面）に位置しているから、キャップ３が上側に抜けることはない。なお、図１及び図２に示すように、持出部切除跡Ｂの上端部分はキャップ３で覆われず露出したままの状態となるが、竪框１の上端部分は障子を納める枠体に飲み込まれて見えなくなるので、問題はない。
【００１１】
さらに、図２及び図４に示すように、竪框１の左側面にはシート状の気密材７が貼り付けてあり、横框２の右側面（端面）が気密材７を押圧することで、竪框１と横框２の間の隙間を塞いで水の浸入を防いでいる。気密材７は、横框２の断面の全体を覆う形状となっている。そして、キャップ３の抜止部３２の右側面（竪框１側面）は、気密材押圧面３５となっており、竪框１と横框２を接合した際には、気密材押圧面３５が気密材７を左側から押圧する。上記のとおり、気密材７は横框２の端面により押圧されることで止水機能を発揮するものであるが、竪框１の持出部見込面４１に形成した切欠６の周囲には横框２の端面が存在しないので、代わりにキャップ３の気密材押圧面３５によって気密材７を押圧し、切欠６の周囲からの水の浸入を防ぐものである。そして図３（ｄ）及び図５に示すように、気密材押圧面３５には、ガイド部３１の周囲（前側、後側及び下側）を囲むようにして断面略矩形の溝部３６を形成してあり、さらに溝部３６の底面から右側（竪框１側）に向けて突出する止水突条３７を形成してある。止水突条３７は、断面略三角形で先細形状であり、先端は気密材押圧面３５よりも右側（竪框１側）に突出している。気密材押圧面３５を気密材７に当接させると、この止水突条３７が気密材７に密接することで、切欠６の周囲において気密材７がより確実に押圧され、止水機能が向上する。
【００１２】
また、キャップ３は右側端部に設けたガイド部３１及び抜止部３２によって竪框１及び横框２に固定されているので、キャップ３の左側端部に手指や掃除器具などが引っ掛かると、キャップ３が上面視して反時計回りに回転してしまい、キャップ３が破損してしまうおそれがある。そこで、キャップ３の見込面部３３の下面の左前端には、略直方体形で下側に向けて突出する回転止部３８を形成してある。回転止部３８は、図４（ａ）に示すように、竪框１の持出部見付面４２の左側端面（内周側端面）に当接し、キャップ３が上面視して反時計回りに回転することを防いでいる。
【００１３】
このように構成した本発明のサッシは、キャップ３により、竪框１の持出部４の切断小口Ａ及び竪框１の見付面の持出部切除跡Ｂを覆い隠してあるので、意匠性が良好である。またこれにより、図６に示した従来品のように横框１０２の持出部見込面１５１を延出させて突条１５１ａを形成する必要がなく、持出部見付面５２が面一になるのですっきりとした見た目になり、この点でも意匠性が良好である。さらに、キャップ３の取り付けにネジなどの固着手段を用いる必要がないので、施工が容易である。また、気密材押圧面３５により気密材７を押圧する構成としてあり、さらに気密材押圧面３５には止水突条３７を設けてあって、より確実に気密材７が押圧されるので、切欠６の周囲から水が浸入するおそれはない。そしてキャップ３は、ガイド部３１が竪框１の切欠６に嵌合することで前後方向の動きが規制され、抜止部３２が横框２の持出部見込面５１の下面に位置することで上側への抜けが規制され、さらに回転止部３８により垂直軸周りの回転が規制されていて、確実に固定されており、特に回転止部３８により、キャップ３が不意に回転して破損することを防いでいる。
【００１４】
本発明は、上記の実施形態に限定されない。たとえば、キャップのガイド部や抜止部の形状は、竪框及び横框の断面形状や切欠の形状に応じて適宜変更できる。また、見込面部や見付面部の形状も、覆い隠すべき切断小口や切除跡の形状に応じて適宜変更できる。さらに、キャップの材質は、種々の樹脂や金属など、どのようなものであってもよい。また、このキャップを、サッシの下側の横框と竪框の接合部分に取り付けてもよい。
【符号の説明】
【００１５】
１  竪框
２  横框
３  キャップ
４  持出部（竪框）
５  持出部（横框）
６  切欠
１１  パネル保持溝（竪框）
２１  パネル保持溝（横框）
３１  ガイド部
３２  抜止部
４１  持出部見込面（竪框）
４２  持出部見付面（竪框）
５１  持出部見込面（横框）
５２  持出部見付面（横框）
Ａ  切断小口
Ｂ  持出部切除跡
【図１】
2014214525.tif 000003
【図２】
2014214525.tif 000004
【図３】
2014214525.tif 000005
【図４】
2014214525.tif 000006
【図５】
2014214525.tif 000007
【図６】
2014214525.tif 000008